(57)【要約】【課題】多品種少量生産に対応させると共に金型の納期を短縮する。【解決手段】パンチホルダー４、パンチプレート５及びストリッパプレート６を有する上型２と、ダイホルダー７を有する下型３で構成され、上型は、パンチプレートのパンチホルダー側に設けられた凹部５ｃに嵌合されて当該パンチホルダー側からダウエルピン５２で位置決めされると共に入子用ねじ５３で固定されたパンチプレート用入子５４と、ストリッパプレートの下型側に設けられた凹部６ａに嵌合されて当該下型側からダウエルピン６２で位置決めされると共に入子用ねじ６３で固定されたストリッパプレート用入子６４と、パンチホルダーに開口された穴４ｂに嵌合されパンチプレート用入子を着脱するための蓋９とを備え、下型は、ダイホルダーの上型側に設けられた凹部７ａに嵌合されて当該ストリッパプレート側からダウエルピン７２で位置決めされると共に入子用ねじ７３で固定されたダイホルダー用入子７４を備えている。【選択図】図１
2008254031.tif 000002
【特許請求の範囲】
【請求項１】
上型及び下型で構成され、パンチによって板材に穴を打ち抜き加工するためにプレス機械に装着される穴明け用プレス金型において、
前記上型は、
前記プレス機械に固定するためのパンチホルダーと、
前記パンチホルダーに固定されたパンチプレートと、
前記パンチプレートを固定した前記パンチホルダーに対して可動に取り付けられ、弾性体の弾発力で前記パンチプレートから離反するストリッパプレートと、
前記パンチプレートの前記パンチホルダー側に設けられた凹部に嵌合されて当該パンチホルダー側からダウエルピンで位置決めされると共に締結部材で固定され、且つ板材に穴を明けるパンチが設けられたパンチプレート用入子と、
前記ストリッパプレートの前記下型側に設けられた凹部に嵌合されて当該下型側からダウエルピンで位置決めされると共に締結部材で固定され、且つ前記パンチの刃部が挿通する穴が設けられたストリッパプレート用入子と、
前記パンチホルダーに開口された穴に嵌合され前記パンチプレート用入子を着脱する際に外して前記ダウエルピン及び前記締結部材を着脱するための蓋とを備え、
前記下型は、
前記ストリッパプレートに対向配置され前記プレス機械に固定するためのダイホルダーと、
前記ダイホルダーの前記上型側に設けられた凹部に嵌合されて当該ストリッパプレート側からダウエルピンで位置決めされると共に締結部材で固定され、且つ前記パンチの刃部が潜り込むダイ穴が設けられたダイホルダー用入子とを備えたことを特徴とする穴明け用プレス金型。
【請求項２】
前記３つの入子は重ねた状態でワイヤーカットにて加工されたダウエルピン用穴をそれぞれ設けていることを特徴とする請求項１記載の穴明け用プレス金型。
【請求項３】
前記３つの入子はそれぞれ円板形に形成されていることを特徴とする請求項１記載の穴明け用プレス金型。
【請求項４】
前記３つの入子はそれぞれ板材が反らないような薄い厚さで形成されていることを特徴とする請求項１記載の穴明け用プレス金型。
【請求項５】
プレス加工で対向する前記ストリッパプレートと前記ダイホルダーが当接した際、前記ストリッパプレート用入子と前記ダイホルダー用入子との間には隙間ができることを特徴とする請求項１記載の穴明け用プレス金型。
【請求項６】
前記パンチプレート、前記ストリッパプレート、前記ダイホルダー及び前記蓋は、プリハードン鋼またはダイス鋼から成り鍍金処理が施されていることを特徴とする請求項１記載の穴明け用プレス金型。
【請求項７】
前記パンチプレート用入子、前記ストリッパプレート用入子及び前記ダイホルダー用入子は、ステンレス鋼または炭素工具鋼から成ることを特徴とする請求項６記載の穴明け用プレス金型。
【請求項８】
前記パンチプレート、前記ストリッパプレート及び前記ダイホルダーの前記各凹部の位置には、前記パンチを前記パンチプレート用入子に設ける位置に自由度を与えるために所定形状の穴が貫通していることを特徴とする請求項１記載の穴明け用プレス金型。
【請求項９】
前記ダイホルダーにはダイプレートが固定され、前記ダイホルダー用入子は前記ダイプレートの前記ストリッパプレート側に設けられた凹部に嵌合されて当該ストリッパプレート側からダウエルピンで位置決めされると共に締結部材で固定されていることを特徴とする請求項１記載の穴明け用プレス金型。
【発明の詳細な説明】
【技術分野】
【０００１】
本発明は穴明け用プレス金型に係り、特に多品種少量生産に対応させるためにプレスする金型部分のみを入子にする穴明け用プレス金型に関する。
【背景技術】
【０００２】
従来から、多品種少量生産に対応させるために金型交換の簡略化及びその交換時間の短縮化を図ることができる金型が開発されている。例えば、加工製品を直接的にプレスする金型部分のみをカセット化して、かかる部分を選択的に交換可能として多品種少量生産に適するようにした金型が開示されている（例えば、特許文献１参照）。
【０００３】
このＩＣリードフレームの加工用金型は、リードフレームの種類を問わず使用可能な上型・下型標準パーツと、リードフレームの種類に応じて組み替えるために、上型標準パーツに組み込まれる上型組替パーツ及び下型標準パーツに組み込まれる下型組替パーツとを備えている。
【０００４】
上型標準パーツは、上型基台と、上型基台に固定されたパンチホルダーと、パンチホルダーに連結されたストリッパホルダーとを備え、下型標準パーツは、下型基台と、下型基台に固定されたダイホルダーとを備えている。
【０００５】
上型組替パーツは、パンチが連設されたパンチプレート及びリードフレームをパンチから離脱させるストリッパを備え、パンチプレートは上型標準パーツのパンチホルダーの下面に形成された凹部に収納され、ストリッパは上型標準パーツのストリッパホルダーの下面に形成された凹部に収納されている。下型組替パーツは、ダイプレートを備え、そのダイプレートは下型標準パーツのダイホルダーの上面に形成された凹部に収納されている。
【０００６】
このような金型によれば、リードフレームの仕様変更に伴う新たな金型の製造を依頼されても上・下型組替パーツのみを製造すればよく、また、その上・下型組替パーツだけを交換すればよいので、金型の納期を短縮することが可能になる。
【０００７】
【特許文献１】特開２０００−２１０７３０号公報
【発明の開示】
【発明が解決しようとする課題】
【０００８】
しかしながら、背景技術に記載したＩＣリードフレームの加工用金型では、パンチプレートをパンチホルダーの凹部に固定するためにストリッパ側から固定ボルトを捻じ込み、また、ストリッパをストリッパホルダーの凹部に固定するためにパンチホルダー側から固定ボルトを捻じ込まなければならないので、ストリッパホルダーの移動ストロークが短い場合には、ストリッパホルダーを上型基台に連結している連結ボルトを外してパンチホルダーとストリッパホルダーとを引き離さなければ固定ボルトの着脱を行うことができなかった。
【０００９】
また、パンチホルダーとストリッパホルダーとを引き離す際、ストリッパホルダーをガイドするストローク用ロッドが短い場合には、当該ストリッパホルダーをストローク用ロッドから一旦、取り外さなければならなかった。
【００１０】
したがって、金型の分解、組立に時間がかかり、金型の納期を短縮する弊害となっていた。また、多品種少量生産にあたっては、金型の耐久性も考慮しなければならないが、このＩＣリードフレームの加工用金型では、その点が不明確であった。
【００１１】
本発明は、このような従来の難点を解決するためになされたもので、多品種少量生産に対応させると共に金型の納期を短縮する穴明け用プレス金型を提供することを目的とする。
【課題を解決するための手段】
【００１２】
本発明の第１の態様である穴明け用プレス金型は、上型及び下型で構成され、パンチによって板材に穴を打ち抜き加工するためにプレス機械に装着される穴明け用プレス金型において、上型は、プレス機械に固定するためのパンチホルダーと、パンチホルダーに固定されたパンチプレートと、パンチプレートを固定したパンチホルダーに対して可動に取り付けられ、弾性体の弾発力でパンチプレートから離反するストリッパプレートと、パンチプレートのパンチホルダー側に設けられた凹部に嵌合されて当該パンチホルダー側からダウエルピンで位置決めされると共に締結部材で固定され、且つ板材に穴を明けるパンチが設けられたパンチプレート用入子と、ストリッパプレートの下型側に設けられた凹部に嵌合されて当該下型側からダウエルピンで位置決めされると共に締結部材で固定され、且つパンチの刃部が挿通する穴が設けられたストリッパプレート用入子と、パンチホルダーに開口された穴に嵌合されパンチプレート用入子を着脱する際に外してダウエルピン及び締結部材を着脱するための蓋とを備え、下型は、ストリッパプレートに対向配置されプレス機械に固定するためのダイホルダーと、ダイホルダーの上型側に設けられた凹部に嵌合されて当該ストリッパプレート側からダウエルピンで位置決めされると共に締結部材で固定され、且つパンチの刃部が潜り込むダイ穴が設けられたダイプレート用入子とを備えたものである。
【００１３】
このような第１の態様による穴明け用プレス金型によれば、ストリッパプレート用入子及びダイホルダー用入子を交換するには、ストリッパプレート用入子は下型側から締結部材を着脱することができ、ダイホルダー用入子は上型側から締結部材を着脱することができる。また、パンチプレート用入子はパンチホルダーの蓋を外して締結部材を着脱することで交換することができる。
【００１４】
本発明の第２の態様は第１の態様である穴明け用プレス金型において、３つの入子は重ねた状態でワイヤーカットにて加工されたダウエルピン用穴をそれぞれ設けているものである。
【００１５】
このような第２の態様による穴明け用プレス金型によれば、ダウエルピン用穴を加工基準にすることで３つの入子は別々にパンチに関する加工を高精度で行うことができるので、入子の交換の際、位置決めをしなくても３つの入子の同芯度を高精度に保つことができる。
【００１６】
本発明の第３の態様は第１の態様である穴明け用プレス金型において、３つの入子はそれぞれ円板形に形成されているものである。
【００１７】
このような第３の態様による穴明け用プレス金型によれば、入子の外形を加工する際、旋盤による切削加工で加工精度を出すことができる。一般的な四角形状の入子の場合、外形の４面の加工精度をそれぞれ出さなければならないので、円板形に比べて加工時間が長くなる。
【００１８】
本発明の第４の態様は第１の態様である穴明け用プレス金型において、３つの入子はそれぞれ板材が反らないような薄い厚さで形成されているものである。
【００１９】
このような第４の態様による穴明け用プレス金型によれば、加工製品を直接的にプレスする部分を入子としていることから、加工製品が小さなものならば入子の平面における大きさも小さくすることができるので、３ｍｍ前後の薄い厚さにしても板材は反ることはない。
【００２０】
本発明の第５の態様は第１の態様である穴明け用プレス金型において、プレス加工で対向するストリッパプレートとダイホルダーが当接した際、ストリッパプレート用入子とダイホルダー用入子との間には隙間ができるものである。
【００２１】
このような第５の態様による穴明け用プレス金型によれば、プレス加工において対向するストリッパプレートとダイホルダーが当接してもストリッパプレート用入子とダイホルダー用入子とは当接しないので、入子の材料として耐久性・硬度性の高い金属を使用しなくてもよくなる。
【００２２】
本発明の第６の態様は第１の態様である穴明け用プレス金型において、パンチプレート、ストリッパプレート、ダイホルダー及び蓋は、プリハードン鋼またはダイス鋼から成り鍍金処理が施されているものである。
【００２３】
このような第６の態様による穴明け用プレス金型によれば、交換する必要のないパンチプレート、ストリッパプレート、ダイホルダー及び蓋の耐久性を高めることができるので、多品種少量生産に好適なものとすることができる。
【００２４】
本発明の第７の態様は第６の態様である穴明け用プレス金型において、パンチプレート用入子、ストリッパプレート用入子及びダイホルダー用入子は、ステンレス鋼または炭素工具鋼から成るものである。
【００２５】
このような第７の態様による穴明け用プレス金型によれば、入子の加工がし易くなり入子の加工時間を短縮することができるので、従来の金型に比べて金型納期を短縮できる多品種少量生産に適した穴明け用プレス金型を提供することができる。
【００２６】
本発明の第８の態様は第１の態様である穴明け用プレス金型において、パンチプレート及びストリッパプレートの各凹部の位置には、パンチをパンチプレート用入子に設ける位置に自由度を与えるために所定形状の穴が貫通しているものである。
【００２７】
このような第８の態様による穴明け用プレス金型によれば、パンチを配置する位置に自由度を持たせることができるので、多品種少量生産に対応させることができる。
【００２８】
本発明の第９の態様は第１の態様である穴明け用プレス金型において、ダイホルダーにはダイプレートが固定され、ダイホルダー用入子はダイプレートのストリッパプレート側に設けられた凹部に嵌合されて当該ストリッパプレート側からダウエルピンで位置決めされると共に締結部材で固定されているものである。
【００２９】
このような第９の態様による穴明け用プレス金型によれば、本発明をダイプレートを含む金型に適用させることができる。
【発明の効果】
【００３０】
本発明の穴明け用プレス金型によれば、上型と下型とを開くだけで、加工製品を直接的にプレスする各入子を交換することができるので、多品種少量生産に対応させると共に金型の納期を短縮することができる。
【発明を実施するための最良の形態】
【００３１】
以下、本発明の穴明け用プレス金型における好ましい実施の形態例について、図面を参照して説明する。本明細書の全体を通じて同一要素には同一参照番号を付す。
【００３２】
図１は、好ましい実施の形態例を示す図で、（Ａ）は組立構成を示す構成断面図、（Ｂ）は入子を含む組立構成を示す構成断面図、（Ｃ）は入子とパンチとの関係を示す拡大断面図である。なお、図１（Ａ）は、上型と下型とが完全に開いた状態の図で、図１（Ｂ）、（Ｃ）は、パンチプレートとストリッパプレートとは離れた状態で、ストリッパプレートとダイホルダーとは当接した状態の図である。
【００３３】
図２は、図１に示した穴明け用プレス金型を上から見た状態を示す平面図である。図３は、穴明け用プレス金型の構成要素であるパンチプレート用入子、ストリッパプレート用入子及びダイホルダー用入子の平面形状を示す平面図である。図４は、穴明け用プレス金型の構成要素であるパンチホルダーを示す図で、（Ａ）は平面図、（Ｂ）は（Ａ）におけるＡ矢視図である。図５は、穴明け用プレス金型の構成要素であるパンチプレートを示す図で、（Ａ）は平面図、（Ｂ）は（Ａ）におけるＢ−Ｂ断面図である。図６は、穴明け用プレス金型の構成要素であるストリッパプレートを示す図で、（Ａ）は平面図、（Ｂ）は（Ａ）におけるＣ矢視図である。図７は、穴明け用プレス金型の構成要素であるダイホルダーを示す図で、（Ａ）は平面図、（Ｂ）は（Ａ）におけるＤ矢視図である。
【００３４】
本発明のプレス穴明け用金型１はプレス機械に装着し板材に穴を打ち抜き加工するもので、図１（Ａ）に示すように、プレス機械のスライドに取り付けられる上型２及びプレス機械のボルスターに取り付けられる下型３で構成されている。
【００３５】
上型２は、プレス機械のスライドに固定するためのパンチホルダー４と、パンチホルダー４に固定されたパンチプレート５と、パンチプレート５を固定したパンチホルダー４に対して可動に取り付けられ、弾性体４２の弾発力で当該パンチプレート５から離反するストリッパプレート６とを備えている。
【００３６】
パンチホルダー４はガイドピン４１が固定され、パンチプレート５はガイドピン４１を挿し通すための貫通穴５ａが形成され、ストリッパプレート６はガイドピン４１に沿って移動させるために、当該ガイドピン４１に対して摺動可能に嵌め込む滑り軸受用ブシュ６１（以下、発明を実施するための最良の形態において、単に「ブシュ」と称するときは「滑り軸受用ブシュ」を言うものとする。）が固定されている。パンチホルダー４の下面にはパンチプレート５が頭部５１ａを有するパンチプレート用ねじ５１（以下、発明を実施するための最良の形態において、単に「ねじ」と称するときは「頭部を有するねじ」を言うものとする。）によって固定されている。
【００３７】
また、パンチホルダー４には、弾性体である例えば圧縮ばね４２を収納すると共に鍔付ブシュ４３を挿し通すための貫通穴４ａが形成され、パンチプレート５には鍔付ブッシュ４３のブッシュ部４３ａのみを挿し通すための貫通穴５ｂが形成されている。鍔付ブッシュ４３のブッシュ部内には吊りボルト６１が挿し通され、この吊りボルト６１はストリッパプレート６にねじ作用で固定されると共に、頭部６１ａが鍔付ブッシュ４３の鍔部４３ｂに引っ掛かるようになっている。また、パンチホルダー４の貫通穴４ａにはストリッパプレート６を下方に押し付ける圧縮ばね４２の弾発力を調整するために、スクリュープラグ４４がねじ作用で嵌め込まれている。
【００３８】
下型３は、ストリッパプレート６に対向配置されプレス機械のボルスターに固定するためのダイホルダー７を備えている。このダイホルダー７には、上型２と下型３とを正しく嵌め合わせるために上型２のガイドピン４１を摺動可能に嵌め込むブシュ７１が固定されている。
【００３９】
さらに、図１（Ｂ）、（Ｃ）に示すように、上型２は、パンチプレート５のパンチホルダー側に設けられた凹部５ｃに嵌合されて当該パンチホルダー側からダウエルピン５２で位置決めされると共に締結部材である入子用ねじ５３で固定され、且つ板材に穴を明けるパンチ８が設けられたパンチプレート用入子５４と、ストリッパプレート６のダイホルダー側（下型側）に設けられた凹部６ａに嵌合されて当該ダイホルダー側からダウエルピン６２で位置決めされると共に締結部材である入子用ねじ６３で固定されたストリッパプレート用入子６４と、パンチホルダー４に開口された入子交換用穴４ｂに嵌合されパンチプレート用入子５４を着脱する際に外してダウエルピン５２及び入子用ねじ５３を着脱するための蓋９とを備えている。なお、蓋９は、蓋用ねじ９１によってパンチプレート５に固定されている。
【００４０】
また、下型３は、ダイホルダー７のストリッパプレート側（上型側）に設けられた凹部７ａに嵌合されて当該ストリッパプレート側からダウエルピン７２で位置決めされると共に締結部材である入子用ねじ７３で固定され、且つパンチ８の刃部８ａが潜り込むダイ穴７４ｂが設けられたダイホルダー用入子７４を備えている。
【００４１】
パンチプレート用入子５４、ストリッパプレート用入子６４及びダイホルダー用入子７４は図３に示すように、それぞれ円板形に形成されている。このようにパンチプレート用入子５４、ストリッパプレート用入子６４及びダイホルダー用入子７４を構成することで、入子の外形を加工する際、旋盤による切削加工で加工精度を出すことができる。一般的な四角形状の入子の場合、外形の４面の加工精度をそれぞれ出さなければならないので、円板形に比べて加工時間が長くなる。したがって、円板形の入子の場合、入子の作成時間を短縮することができるので、従来の金型に比べて金型納期を短縮できる多品種少量生産に適した穴明け用プレス金型を提供することができる。なお、円板形のパンチプレート用入子５４、ストリッパプレート用入子６４及びダイホルダー用入子７４の一部位が切り欠かれているが、入子の嵌め合わせ方向を容易に判断するためである。
【００４２】
また、パンチプレート用入子５４、ストリッパプレート用入子６４及びダイホルダー用入子７４は、それぞれ板材が反らないような薄い厚さで形成されているものである。加工製品を直接的にプレスする部分を入子としていることから、加工製品が小さなものならば入子の平面における大きさも小さくすることができるので、３ｍｍ前後の薄い厚さにしても板材は反ることはない。このようにパンチプレート用入子５４、ストリッパプレート用入子６４及びダイホルダー用入子７４を板材が反らないような薄い厚さで形成することで入子の加工時間を短縮することができるので、従来の金型に比べて金型納期を短縮できる多品種少量生産に適した穴明け用プレス金型を提供することができる。
【００４３】
このパンチプレート用入子５４、ストリッパプレート用入子６４及びダイホルダー用入子７４が嵌め込まれるパンチプレート５、ストリッパプレート６及びダイホルダー７の各凹部５ｃ、６ａ、７ａには、それぞれパンチ８を配置する位置に自由度を与えるために所定形状の穴５ｃ’、６ａ’、７ａ’が貫通している。このようにパンチを配置する位置に自由度を持たせることで、多品種少量生産に対応させることができる。なお、各穴５ｃ’、６ａ’、７ａ’の形状は、図５、図６、図７に示すように、各凹部５ｃ、６ａ、７ａの内側に配置されることになる四角形である。したがって、各凹部５ｃ、６ａ、７ａは、それぞれパンチプレート用入子５４、ストリッパプレート用入子６４及びダイホルダー用入子７４を位置決めし固定するダウエルピン及び入子用ねじの設置スペースを確保できる。
【００４４】
このような円板形のパンチプレート用入子５４、ストリッパプレート用入子６４及びダイホルダー用入子７４は図３に示すように、重ねた状態でワイヤーカットにて加工されたダウエルピン用穴５４ａ、６４ａ、７４ａがそれぞれ設けられている。このように、ダウエルピン用穴５４ａ、６４ａ、７４ａを加工基準にすることで３つの入子は別々にパンチに関する加工を高精度で行うことができるので、入子の交換の際、位置決めをしなくても３つの入子の同芯度を高精度に保つことができる。したがって、入子の交換時間を短縮することができるので、従来の金型に比べて金型納期を短縮できる多品種少量生産に適した穴明け用プレス金型を提供することができる。
【００４５】
パンチ８は図１（Ｃ）に示すように、パンチプレート用入子５４のストリッパプレート用入子側に位置する面５４ｂに固定されている。この面５４ｂにはパンチ８の固定部８ｂを嵌め合わせる穴が形成され、この穴に接着剤やかしめ加工によりパンチ８の固定部８ｂが固定されている。また、ストリッパプレート用入子６４にはパンチプレート用入子５４に固定されたパンチ８を挿し通すためのパンチ用穴６４ｂが貫通している。このパンチ用穴６４ａはカス上がりを防ぐことができるような大きさに形成されている。
【００４６】
このような上型２におけるガイドピン４１、パンチプレート用ねじ５１、スクリュープラグ４４、ダウエルピン５２、６２及び入子用ねじ５３、６３は図２に示すような配置関係になっているがこれに限定されるものではない。また、下型３におけるブシュ７１、ダウエルピン７２及び入子用ねじ７３は、上型２のガイドピン４１、ダウエルピン５２、６２及び入子用ねじ５３、６３の配置関係と同じである。なお、図４、図５、図６、図７にも図２と同様の符号を付してあるが、これらは、ガイドピンや各ねじ等の穴やねじ穴の配置を示すものである。
【００４７】
また、上型２及び下型３は、パンチプレート５、ストリッパプレート６、ダイホルダー７及び蓋９の材質としては、プリハードン鋼（ＨＰＭ１）またはダイス鋼（ＳＫＤ１１）がよく、さらに鍍金処理が施されているとよい。特に、プリハードン鋼（ＨＰＭ１）の場合、サブゼロ処理を施したものに鍍金を施すとよい。プリハードン鋼またはダイス鋼に施す鍍金としては、例えば硬質クローム鍍金がよい。このような材料を選択し鍍金処理を施すことで、交換する必要のないパンチプレート５、ストリッパプレート６、ダイホルダー７及び蓋９の耐久性を高めることができるので、多品種少量生産に好適なものとすることができる。また、上型２及び下型３は、パンチプレート用入子５４、ストリッパプレート用入子６４及びダイホルダー用入子７４の材質としては、ステンレス鋼（ＳＵＳ３０４）または炭素工具鋼（ＳＫ３）がよい。このような材料を選択することで、入子の加工がし易くなり入子の加工時間を短縮することができるので、従来の金型に比べて金型納期を短縮できる多品種少量生産に適した穴明け用プレス金型を提供することができる。
【００４８】
このように構成された本発明のプレス穴明け用金型１のプレス加工動作について説明する。
【００４９】
プレス機械に装着されたプレス穴明け用金型１でプレス加工を開始すると、上型２がスライドによって上昇する。上型２は下型３から離れていくと、まず、ストリッパプレート６が圧縮ばね４２の弾発力により、吊りボルト６１で規定されている位置までパンチプレート５から離される。また、パンチ８もストリッパプレート６の下面位置よりも上昇した位置に移動する。
【００５０】
上型２が上死点まで移動すると、スライドは下降を開始するので上型２のストリッパプレート６は位置決めされた板材に当接し、さらに上型２が下降することでパンチ８が固定されたパンチプレート用入子５４がパンチプレート５と共に下降するので、パンチ８の刃部８ａが板材に穴を明けることになる。なお、このプレス穴明け用金型１は、プレス加工で対向する上型２のストリッパプレート６と下型３のダイホルダー７が当接した際、ストリッパプレート用入子６４とダイホルダー用入子７４との間に隙間ができるように構成されている。このように構成することで、プレス加工において対向するストリッパプレート６とダイホルダー７が当接してもストリッパプレート用入子６４とダイホルダー用入子７４とは当接しないので、入子の材料として耐久性・硬度性の高い金属を使用しなくてもよくなる。したがって、入子の加工がし易くなり入子の加工時間を短縮することができるので、従来の金型に比べて金型納期を短縮できる多品種少量生産に適した穴明け用プレス金型を提供することができる。
次に、本発明のプレス穴明け用金型１における金型交換について説明する。
【００５１】
プレス製品仕様の変更に伴うパンチプレート用入子５４、ストリッパプレート用入子６４及びダイホルダー用入子７４を交換は、上型２と下型３を分離して行うものである。上型２はパンチプレート用入子５４及びストリッパプレート用入子６４を交換し、下型３はダイホルダー用入子７４を交換する。
【００５２】
ストリッパプレート用入子６４及びダイホルダー用入子７４をストリッパプレート６の凹部６ａ及びダイホルダー７の凹部７ａから外すには、ストリッパプレート用入子６４はダイホルダー側から入子用ねじ６３を外すと共にダウエルピン６２を引き抜き、ダイホルダー用入子７４はストリッパプレート側から入子用ねじ７３を外すと共にダウエルピン７２を引き抜くことで行うことができる。そして、新しいストリッパプレート用入子６４及びダイホルダー用入子７４をストリッパプレート６の凹部６ａ及びダイホルダー７の凹部７ａに嵌め込んだ後に、ストリッパプレート用入子６４はダイホルダー側からダウエルピン６２を差し込むと共に入子用ねじ６３を締め込み、ダイホルダー用入子７４はストリッパプレート側からダウエルピン７２を差し込むと共に入子用ねじ７３を締め込むことで入子の交換が完了する。
【００５３】
また、パンチプレート用入子５４は、パンチホルダー４の蓋９によって閉塞されているので、蓋用ねじ９１を外すことで蓋９を取り外すことができる。パンチプレート用入子５４は蓋９をパンチホルダー４から取り外すだけで、入子の交換を行うことができる。パンチプレート用入子５４をパンチプレート５の凹部５ｃから外すには、蓋側から入子用ねじ５３を外すと共にダウエルピン５２を引き抜くことで行うことができる。そして、新しいパンチプレート用入子５４をパンチプレート５の凹部５ｃに嵌め込んだ後に、パンチプレート用入子５４は蓋側からダウエルピン５２を差し込むと共に入子用ねじ５３を締め込むことで入子の交換が完了する。
【００５４】
したがって、上型２と下型３とを開くだけでストリッパプレート用入子６４、ダイホルダー用入子７４及びパンチプレート用入子５４を交換することができる。即ち、金型を分解することなく而も組立精度を高めることなくストリッパプレート用入子６４、ダイホルダー用入子７４及びパンチプレート用入子５４を交換することができるので、金型メーカーだけではなく金型ユーザーにおいても入子の交換を簡単に行うことができる。
【００５５】
このように、本発明のプレス穴明け用金型１は、金型の作成時間、交換時間をそれぞれ短縮し、これらコストを総合的に低減することができるので、多品種少量生産に対応させると共に金型の納期を短縮することができる。また、金型メーカーで金型交換をする際、パンチを固定したパンチプレート用入子５４、ストリッパプレート用入子６４及びダイホルダー用入子７４の平面方向の大きさを小さくすると共に厚さも薄くすることができるので、これら入子を金型メーカーに輸送するときの運輸コストを下げることができる。
【００５６】
なお、上述した実施例においてはダイホルダーにダイプレートが一体化されていたが、これに限らず、ダイプレートが別個に設けられたプレス穴明け用金型でもよい。この場合、ダイホルダーにはダイプレートが固定され、ダイホルダー用入子はダイプレートのストリッパプレート側に設けられた凹部に嵌合されて当該ストリッパプレート側からダウエルピンで位置決めされると共に入子用ねじで固定されているものでもよい。
【００５７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００５８】
【図１】本発明の穴明け用プレス金型における好ましい実施の形態例を示す図である。
【図２】図１に示した穴明け用プレス金型を上から見た状態を示す図である。
【図３】本発明の穴明け用プレス金型の構成要素であるパンチプレート用入子、ストリッパプレート用入子及びダイプレート用入子を示す図である。
【図４】本発明の穴明け用プレス金型の構成要素であるパンチホルダーを示す図である。
【図５】本発明の穴明け用プレス金型の構成要素であるパンチプレートを示す図である。
【図６】本発明の穴明け用プレス金型の構成要素であるストリッパプレートを示す図である。
【図７】本発明の穴明け用プレス金型の構成要素であるダイホルダーを示す図である。
【符号の説明】
【００５９】
１……穴明け用プレス金型
２……上型
４……パンチホルダー
５……パンチプレート
５２……ダウエルピン
５３……入子用ねじ
５４……パンチプレート用入子
５４ａ……ダウエルピン用穴
６……ストリッパプレート
６２……ダウエルピン
６３……入子用ねじ
６４……ストリッパプレート用入子
６４ａ……ダウエルピン用穴
８……パンチ
３……下型
７……ダイホルダー
７２……ダウエルピン
７３……入子用ねじ
７４……ダイホルダー用入子
７４ａ……ダウエルピン用穴
【図１】
2008254031.tif 000003
【図２】
2008254031.tif 000004
【図３】
2008254031.tif 000005
【図４】
2008254031.tif 000006
【図５】
2008254031.tif 000007
【図６】
2008254031.tif 000008
【図７】
2008254031.tif 000009